(57)【特許請求の範囲】
【請求項１】
容器およびノズルを有するトリガースプレーからなり、
前記容器と前記トリガースプレーとは着脱可能に形成され、
前記容器は、
その開口部分に設けられ液体を外部にシャワー状に噴出させるためのシャワー孔と、
前記開口部分に設けられ外方に開口する開口部を備えた第１の接続部と、
前記開口部に連通し前記容器の底に向けて伸びた管状のチューブと、を有し、
前記トリガースプレーは、
前記液体を前記ノズルに送る流路を備えた第２の接続部を有し、
前記容器と前記トリガースプレーとが一体化されたときに、前記第１の接続部と前記第２の接続部とが接続されて前記チューブと前記第２の接続部における前記流路とが連通し、かつ前記チューブから前記流路に至る間が前記シャワー孔に対して不通となるよう、かつ前記シャワー孔を経て前記容器内に外気を導入可能に構成された
ことを特徴とするスプレー付き容器。
【請求項２】
容器の開口部分に栓が取り付けられた液体を充填するための栓付き容器、および噴霧用のノズルを有し前記栓付き容器に着脱可能なトリガースプレーからなり、
前記栓は、
外方に突出しその端面に開口する開口部を備えた挿入部と、
前記液体を外部にシャワー状に噴出させるためのシャワー孔と、
前記挿入部の前記開口部に連通し前記容器の底に向けて伸びた管状のチューブと、を有し、
前記トリガースプレーは、
スクリューキャップと、
連結部と、を有し、
前記連結部は、
前記スクリューキャップの底面を回転可能に貫通し前記液体を前記ノズルに送る流路に連通する連通路および前記スクリューキャップの内方に環状のシール部を備え、
前記容器と前記スクリューキャップとが一体化されたときに、
前記挿入部が前記連通路に嵌り込み前記チューブと前記流路とが連通されて前記チューブから前記流路に至る間と前記シャワー孔との間が不通となり、かつ前記シール部が前記栓に当接して前記容器内が前記シャワー孔および前記連通路を経由する他は外気と不通となるように構成された
ことを特徴とするスプレー付き容器。
【請求項３】
容器の開口部分に栓が取り付けられた液体を充填するための栓付き容器、および噴霧用のノズルを有し前記栓付き容器に着脱可能なトリガースプレーからなり、
前記栓は、
外方に開口する開口部を備えた孔である連結管挿入部と、
前記液体を外部にシャワー状に噴出させるためのシャワー孔と、
前記開口部に連通し前記容器の底に向けて伸びた管状のチューブと、を有し、
前記トリガースプレーは、
スクリューキャップと、
前記液体を前記ノズルに送る流路と、
前記スクリューキャップの底面を回転可能に貫通する連結部と、を有し、
前記連結部は、
前記流路に連通する連結管と、
前記連結管の外方に形成され前記流路と直接に連通しない連通路と、
前記スクリューキャップの内方に配され前記連結管を取り巻く環状のシール部と、を有し、
前記容器と前記スクリューキャップとが一体化されたときに、
前記連結管が前記連結管挿入部に嵌り込み前記チューブと前記流路とが連通されて前記チューブから前記流路に至る間と前記シャワー孔との間が不通となり、かつ前記シール部が前記栓に当接して前記容器内が前記シャワー孔および前記連通路を経由する他は外気と不通となるように構成された
ことを特徴とするスプレー付き容器。
【請求項４】
液体を充填するための容器であって、
前記容器の開口部分に取り付けられた栓および一端が前記容器の底に向けて伸びたチューブを備え、
前記栓は、
外方に突出しその端面に前記チューブの他端に連通する開口部を備えた挿入と、
前記液体を外部にシャワー状に噴出させるためのシャワー孔と、を有し、
スクリューキャップ、前記液体をノズルに送る流路に連通する連通路、および前記スクリューキャップの底面を回転可能に貫通して環状のシール部を前記スクリューキャップの内方に備えるトリガースプレーを、着脱可能に形成されており、
前記トリガースプレーが取り付けられたときに、
前記挿入部が前記連通路に嵌り込んで前記チューブと前記流路とを連通させて前記チューブから前記流路に至る間と前記シャワー孔との間を不通とし、かつ前記シール部を前記栓に当接させて前記容器内が前記シャワー孔および前記連通路を経由する他は外気と不通となるように構成された
ことを特徴とする容器。
【請求項５】
液体を充填するための容器であって、
前記容器の開口部分に取り付けられた栓および一端が前記容器の底に向けて伸びたチューブを備え、
前記栓は、
外方に開口し前記チューブの他端に連通する孔である連結管挿入部と、
前記液体を外部にシャワー状に噴出させるためのシャワー孔と、を有し、
スクリューキャップと、
前記液体をノズルに送る流路と、
前記流路に連通する連結管、前記スクリューキャップの内方において前記連結管を取り巻く環状のシール部、および前記連結管の外方に形成され前記流路と直接に連通しない連通路を有し前記スクリューキャップの底面を回転可能に貫通する連結部と、を備えるトリガースプレーを着脱可能に形成されており、
前記トリガースプレーが取り付けられたときに、
前記連結管挿入部に前記連結管を嵌め込ませて前記チューブと前記流路とを連通させ前記チューブから前記流路に至る間と前記シャワー孔との間を不通とし、かつ前記シール部を前記栓に当接させて前記容器内が前記シャワー孔および前記連通路を経由する他は外気と不通となるように構成された
ことを特徴とする容器。
【請求項６】
液体を噴霧するためのノズルを有するトリガースプレーであって、
スクリューキャップと、
前記スクリューキャップの底面を回転可能に貫通し前記液体を前記ノズルに送る流路に連通する連通路と、
前記スクリューキャップの内方に配された環状のシール部と、を有し、
外方に突出しその端面に開口する開口部を有する挿入部、前記液体を外部にシャワー状に噴出させるためのシャワー孔、および一端が前記開口部に連通する管状のチューブを有する栓が、前記チューブの他端をその底に向けて伸ばした状態でその開口部分に取り付けられた容器に、着脱可能に形成されており、
前記容器に取り付けられたときに、
前記連通路に前記挿入部を嵌め入れて前記チューブと前記流路とを連通させ前記チューブから前記流路に至る間と前記シャワー孔との間を不通とし、かつ前記シール部が前記栓に当接して前記容器内が前記シャワー孔および前記連通路を経由する他は外気と不通にするように構成された
ことを特徴とするトリガースプレー。
【請求項７】
液体を噴霧するためのノズルを有するトリガースプレーであって、
スクリューキャップと、
前記液体を前記ノズルに送る流路と、
前記スクリューキャップの底面を回転可能に貫通する連結部と、を有し、
前記連結部は、
前記流路に連通する連結管と、
前記連結管の外方に形成され前記流路と直接に連通しない連通路と、
前記スクリューキャップの内方に配され前記連結管を取り巻く環状のシール部と、を有し、
外方に開口する開口部を備えた孔である連結管挿入部、前記液体を外部にシャワー状に噴出させるためのシャワー孔、および一端が前記開口部に連通する管状のチューブを有する栓が、前記チューブの他端をその底に向けて伸ばした状態でその開口部分に取り付けられた容器に、着脱可能に形成されており、
前記容器に取り付けられたときに、
前記連結管が前記連結管挿入部に嵌り込み前記チューブと前記流路とが連通されて前記チューブから前記流路に至る間と前記シャワー孔との間を不通とし、かつ前記シール部が前記栓に当接して前記容器内が前記シャワー孔および前記連通路を経由する他は外気と不通とするように構成された
ことを特徴とするトリガースプレー。
【発明の詳細な説明】
【技術分野】
【０００１】
本発明は、例えば除草剤、殺虫剤、殺虫殺菌剤および肥料等等の農薬等、または住居用の洗浄剤等を充填するための容器、トリガースプレーおよびスプレー付き容器に関する。
【背景技術】
【０００２】
例えば、除草剤は、菜園において、広範囲に繁茂した雑草に比較的大量に散布される場合があり、一部に繁茂した特定の雑草を狙って噴霧散布される場合がある。また、例えば、住居用の洗浄剤は、洗浄対象物に原液が広く薄く噴霧散布される場合があり、原液が水で希釈されて雑巾等により洗浄対象物の汚れの拭き取りに使用される場合がある。
除草剤を広範囲に大量に散布する場合については、口に螺合されるスクリューキャップに複数の貫通孔を設け、除草剤をシャワー状に流出させて雑草に散布する容器が提案されている（特許文献１）。また、特定の雑草を対象に除草剤を噴霧散布することができる、口にトリガースプレーが設けられた容器も知られている（特許文献２）。
【０００３】
住居用洗浄剤等を洗浄対象物に広く噴霧散布する場合については、トリガースプレー付きの容器（特許文献３）の使用が一般的であり、洗浄剤を希釈して使用する場合には、口栓に噴出口が設けられた容器のキャップを取り外し、洗浄剤が噴出口から注ぎ出されて水により希釈されるのが一般的である。
【特許文献１】特開平１１−９１７６９号公報
【特許文献２】特開２００６−１６１０号公報
【特許文献３】特開平１０−２８９０８号公報
【発明の開示】
【発明が解決しようとする課題】
【０００４】
除草剤では、広範囲に大量に散布する必要がある場合、および特定の雑草に対してのみ噴霧散布する必要がある場合が、同時にまたは時を隔てて生ずる。しかし、特許文献１に記載されたような、貫通孔が設けられたキャップ（口栓）を有する容器では、特定の雑草を狙って散布するのに適さない。特許文献２に記載されたような、トリガースプレーが設けられた容器では、元来噴霧量に限界があり、除草剤を広範囲に大量に散布するには不便である。
住居用洗浄剤等についても、一般に、原液を直接洗浄対象物に噴霧散布するためのトリガースプレーを備えた容器に充填されたもの、および原液が水希釈して使用されることを前提として、噴出口が設けられた口栓をスクリューキャップで密閉する容器に充填されたものが、別個に用意されている。
【０００５】
このように、除草剤の散布および洗浄剤による洗浄を適切に行おうとすると、その使用方法によって別々の容器を備えておく必要がある。そして、何れかの容器のみ備えている場合、例えば、トリガースプレー付きの洗浄剤入り容器を備える場合には、洗浄剤を希釈して使用するために、トリガースプレーを取り外す煩雑な作業を行わなければならない。
本発明は、上述の問題に鑑みてなされたもので、液体の噴霧散布および大量の噴出が可能なスプレー付き容器およびこのスプレー付き容器を構成する容器、トリガースプレーを提供することを目的とする。
【課題を解決するための手段】
【０００６】
前記目的を達成するため、本発明においては以下の技術的手段を講じた。
すなわち、本発明に係るスプレー付き容器は、容器およびノズルを有するトリガースプレーからなり、前記容器と前記トリガースプレーとは着脱可能に形成され、前記容器は、その開口部分に設けられ液体を外部にシャワー状に噴出させるためのシャワー孔と、前記開口部分に設けられ外方に開口する開口部を備えた第１の接続部と、前記開口部に連通し前記容器の底に向けて伸びた管状のチューブと、を有し、前記トリガースプレーは、前記液体を前記ノズルに送る流路を備えた第２の接続部を有し、前記容器と前記トリガースプレーとが一体化されたときに、前記第１の接続部と前記第２の接続部とが接続されて前記チューブと前記第２の接続部における前記流路とが連通し、かつ前記チューブから前記流路に至る間が前記シャワー孔に対して不通となるよう、かつ前記シャワー孔を経て前記容器内に外気を導入可能に構成される。
【０００７】
本発明に係る他のスプレー付き容器は、容器の開口部分に栓が取り付けられた液体を充填するための栓付き容器、および噴霧用のノズルを有し前記栓付き容器に着脱可能なトリガースプレーからなり、前記栓は、外方に突出しその端面に開口する開口部を備えた挿入部と、前記液体を外部にシャワー状に噴出させるためのシャワー孔と、前記挿入部の前記開口部に連通し前記容器の底に向けて伸びた管状のチューブと、を有し、前記トリガースプレーは、スクリューキャップと、連結部と、を有し、前記連結部は、前記スクリューキャップの底面を回転可能に貫通し前記液体を前記ノズルに送る流路に連通する連通路および前記スクリューキャップの内方に環状のシール部を備え、前記容器と前記スクリューキャップとが一体化されたときに、前記挿入部が前記連通路に嵌り込み前記チューブと前記流路とが連通されて前記チューブから前記流路に至る間と前記シャワー孔との間が不通となり、かつ前記シール部が前記栓に当接して前記容器内が前記シャワー孔および前記連通路を経由する他は外気と不通となるように構成される。
【０００８】
本発明に係る他のスプレー付き容器は、容器の開口部分に栓が取り付けられた液体を充填するための栓付き容器、および噴霧用のノズルを有し前記栓付き容器に着脱可能なトリガースプレーからなり、前記栓は、外方に開口する開口部を備えた孔である連結管挿入部と、前記液体を外部にシャワー状に噴出させるためのシャワー孔と、前記開口部に連通し前記容器の底に向けて伸びた管状のチューブと、を有し、前記トリガースプレーは、スクリューキャップと、前記液体を前記ノズルに送る流路と、前記スクリューキャップの底面を回転可能に貫通する連結部と、を有し、前記連結部は、前記流路に連通する連結管と、前記連結管の外方に形成され前記流路と直接に連通しない連通路と、前記スクリューキャップの内方に配され前記連結管を取り巻く環状のシール部と、を有し、前記容器と前記スクリューキャップとが一体化されたときに、前記連結管が前記連結管挿入部に嵌り込み前記チューブと前記流路とが連通されて前記チューブから前記流路に至る間と前記シャワー孔との間が不通となり、かつ前記シール部が前記栓に当接して前記容器内が前記シャワー孔および前記連通路を経由する他は外気と不通となるように構成される。
【０００９】
本発明に係る容器は、液体を充填するための容器であって、前記容器の開口部分に取り付けられた栓および一端が前記容器の底に向けて伸びたチューブを備え、前記栓は、外方に突出しその端面に前記チューブの他端に連通する開口部を備えた挿入と、前記液体を外部にシャワー状に噴出させるためのシャワー孔と、を有し、スクリューキャップ、前記液体をノズルに送る流路に連通する連通路、および前記スクリューキャップの底面を回転可能に貫通して環状のシール部を前記スクリューキャップの内方に備えるトリガースプレーを、着脱可能に形成されており、前記トリガースプレーが取り付けられたときに、前記挿入部が前記連通路に嵌り込んで前記チューブと前記流路とを連通させて前記チューブから前記流路に至る間と前記シャワー孔との間を不通とし、かつ前記シール部を前記栓に当接させて前記容器内が前記シャワー孔および前記連通路を経由する他は外気と不通となるように構成される。
【００１０】
本発明に係る他の容器は、液体を充填するための容器であって、前記容器の開口部分に取り付けられた栓および一端が前記容器の底に向けて伸びたチューブを備え、前記栓は、外方に開口し前記チューブの他端に連通する孔である連結管挿入部と、前記液体を外部にシャワー状に噴出させるためのシャワー孔と、を有し、スクリューキャップと、前記液体をノズルに送る流路と、前記流路に連通する連結管、前記スクリューキャップの内方において前記連結管を取り巻く環状のシール部、および前記連結管の外方に形成され前記流路と直接に連通しない連通路を有し前記スクリューキャップの底面を回転可能に貫通する連結部と、を備えるトリガースプレーを着脱可能に形成されており、前記トリガースプレーが取り付けられたときに、前記連結管挿入部に前記連結管を嵌め込ませて前記チューブと前記流路とを連通させ前記チューブから前記流路に至る間と前記シャワー孔との間を不通とし、かつ前記シール部を前記栓に当接させて前記容器内が前記シャワー孔および前記連通路を経由する他は外気と不通となるように構成される。
【００１１】
本発明に係るトリガースプレーは、液体を噴霧するためのノズルを有するトリガースプレーであって、スクリューキャップと、前記スクリューキャップの底面を回転可能に貫通し前記液体を前記ノズルに送る流路に連通する連通路と、前記スクリューキャップの内方に配された環状のシール部と、を有し、外方に突出しその端面に開口する開口部を有する挿入部、前記液体を外部にシャワー状に噴出させるためのシャワー孔、および一端が前記開口部に連通する管状のチューブを有する栓が、前記チューブの他端をその底に向けて伸ばした状態でその開口部分に取り付けられた容器に、着脱可能に形成されており、前記容器に取り付けられたときに、前記連通路に前記挿入部を嵌め入れて前記チューブと前記流路とを連通させ前記チューブから前記流路に至る間と前記シャワー孔との間を不通とし、かつ前記シール部が前記栓に当接して前記容器内が前記シャワー孔および前記連通路を経由する他は外気と不通にするように構成される。
【００１２】
本発明に係る他のトリガースプレーは、液体を噴霧するためのノズルを有するトリガースプレーであって、スクリューキャップと、前記液体を前記ノズルに送る流路と、前記スクリューキャップの底面を回転可能に貫通する連結部と、を有し、前記連結部は、前記流路に連通する連結管と、前記連結管の外方に形成され前記流路と直接に連通しない連通路と、前記スクリューキャップの内方に配され前記連結管を取り巻く環状のシール部と、を有し、外方に開口する開口部を備えた孔である連結管挿入部、前記液体を外部にシャワー状に噴出させるためのシャワー孔、および一端が前記開口部に連通する管状のチューブを有する栓が、前記チューブの他端をその底に向けて伸ばした状態でその開口部分に取り付けられた容器に、着脱可能に形成されており、前記容器に取り付けられたときに、前記連結管が前記連結管挿入部に嵌り込み前記チューブと前記流路とが連通されて前記チューブから前記流路に至る間と前記シャワー孔との間を不通とし、かつ前記シール部が前記栓に当接して前記容器内が前記シャワー孔および前記連通路を経由する他は外気と不通とするように構成される。
【００１３】
上記における「液体」には、有効成分等が溶解した溶液、有効成分等が乳化された乳化物、および有効成分が固体状態で分散するサスペンションが含まれる。また、「外気」とは、トリガースプレー付き容器、容器またはトリガースプレーの外部に存在する大気をいう。
【発明の効果】
【００１４】
本発明によると、液体の噴霧散布および大量の噴出が可能なスプレー付き容器およびこのスプレー付き容器を構成する容器、トリガースプレーを提供することができる。
【発明を実施するための最良の形態】
【００１５】
図１はスプレー付き容器１の正面部分断面図、図２は栓２の概略図、図３はトリガースプレー３の正面部分断面図、図４は図１におけるトリガースプレー３と栓付き容器４との接続部分の拡大断面図、図５は栓付き容器４から内容物がシャワー状に流出する様子を示す図である。なお、図２において（ａ）は平面図、（ｂ）は正面部分断面図である。
スプレー付き容器１は、容器本体５、栓２、チューブ６およびトリガースプレー３等からなる。
容器本体５は、胴部７、底部８、肩部９および口部１０からなる。
【００１６】
胴部７は円筒状の形状を有する。底部８は胴部７の円形である一端を閉じ、全体として外方に凸の湾曲面となっている。肩部９は胴部７の他端に連続し、球殻を２分割した一方をさらに２分割した面に平行な面で分割したような外観である。
口部１０は、略円筒状の形状を有し、肩部９における胴部７とは反対側の端で連続する。口部１０の外周には雄ネジが設けられている。口部１０は、その開口端１１側に、他の部分よりも内径および外径が小さな栓取付部１２を備えている。栓取付部１２は、その開口端１１の外周に、栓２を係止するために外方に突出する断面形状が半円の環状の凸状突起である凸リング部１３を有する。
【００１７】
容器本体５は、１リットルの液体充填用のものであり、ポリエチレン樹脂による製作される。また、容器本体５は、紫外線透過防止剤が添加されたポリエチレン樹脂により製作される場合がある。
栓２は、図２を参照して、外筒部１４、内筒部１５、孔形成部１６および挿入部１７からなる。
外筒部１４は、円筒状の本体１８と、本体１８の一端から径方向外方に環状に拡がる係止部１９、および係止部１９の外周縁から係止部１９に直角に伸び本体１８と同心円の円筒状である係合部２０からなる。本体１８は、その外径が容器本体５における栓取付部１２の内径に略等しい。係合部２０の内周には、断面形状が半円凹状であっての環状の凹溝２１が形成されている。凹溝２１の断面形状は容器本体５における凸リング部１３の断面形状と略同じであり、凹溝２１の溝底の軸心からの距離は、凸リング部１３の最外周における軸心からの距離に略等しい。
【００１８】
内筒部１５は、外筒部１４よりも外径が小さな外筒部１４と同心円の円筒状部分である。内筒部１５は、一端が、外筒部１４の本体１８における係止部１９に連続する側と反対側の端から若干外方に突出する。
孔形成部１６は、内筒部１５の他端から外方に拡がる、平面視（図２（ａ））において円環状の部分である。孔形成部１６は、その外縁で外筒部１４の内周に繋がる。孔形成部１６の係止部１９側表面は、円錐台の側面のように、外筒部１４の軸心に直交する面に対して角度（１５度）を有して内筒部１５から外方に拡がる形状を有する。孔形成部１６には、貫通する複数のシャワー孔２２，…，２２が設けられている。シャワー孔２２は、外筒部１４の軸心の回りに内外の二重に、内側に４つ、外側に６つ配置されている。
【００１９】
挿入部１７は、内筒部１５よりも内径および外径のいずれもが小さな円筒であって、内筒部１５の孔形成部１６に連続する側においてその内側が内筒部１５に連通する。また、挿入部１７は、外筒部１４から略外筒部１４の外径の半分程度外方に突出する。
栓２は、容器本体５と同じ材料、例えばポリエチレン樹脂により製作される。
チューブ６は、図１に示されるように、略中央で、軸心に対して鋭角θを形成するように屈曲された円管である。チューブ６の外径は栓２の内筒部１５の内径に略等しく、チューブ６は内筒部１５の内側に、外部との間に気密が保たれるように嵌め込まれ、内筒部１５と分離不能に接着等により固着されている。チューブ６は、ポリプロピレン樹脂製の円管が使用される。
【００２０】
容器本体５、栓２およびチューブ６は、次のようにして一体化される。
初めに、栓２とチューブ６とが一体化される。チューブ６は、その一端が栓２の内筒部１５内に挿入され、接着剤等により内筒部１５内に固着される。チューブ６が固着された栓２は、チューブ６の先端側が、内容物である液体が充填された容器本体５内に差し入れられる。続いて、栓２における外筒部１４の本体１８が栓取付部１２の内側に嵌め込まれ、凹溝２１内に栓取付部１２の凸リング部１３が嵌め入れられて、容器本体５、栓２およびチューブ６が一体化される。チューブ６が固着された栓２と容器本体５とは、凹溝２１と凸リング部１３との噛み合いにより、液体が充填された容器を逆さにしたときにも、液体の重量（液圧）によって容器本体５からの栓２の脱落が阻止される。
【００２１】
以下、容器本体５、栓２およびチューブ６が一体化されたものを「栓付き容器４」という。
栓付き容器４は、例えば広範囲に大量の除草剤を散布するような場合には、図５に示されるように、口部１０を下にして、内容物である除草剤を複数のシャワー孔２２，…，２２からシャワー状に噴出させることができる。チューブ６は、挿入部１７から容器本体５内に外気を取り込み、除草剤を円滑に噴出させる働きをおこなう。
トリガースプレー３は、スプレー本体２３および連結部２４からなる。
【００２２】
スプレー本体２３は、ピストン、噴射圧を得るためにピストンの外周を摺動して往復動するシリンダ、シリンダを往復動させるためのトリガー２５、および液体である容器本体５の内容物を霧状に噴射するためのノズルを有する。スプレー本体２３における液体を噴射するための構造は、公知のものである。
連結部２４は、キャップ２６、インテイク２７の一部およびシール部材２８からなる。
キャップ２６は、円筒状で内周側に雌ネジが設けられた本体部２９と、本体部２９の一端側を閉塞する底面部３０で形成される。底面部３０は、その両面がいずれも本体部２９の軸心に直交し、その中心に円形の貫通孔３１が設けられている。
【００２３】
連結部２４におけるインテイク２７は、スプレー本体２３において、容器本体５からチューブ６により吸い上げられた噴霧対象の液体をノズルに送るための流路の一部を形成するものである。連結部２４におけるインテイク２７は、いずれの部分の断面も円形である。
インテイク２７は、その一端から内に向かい内径および外径がともに拡大する押圧部３２を有し、押圧部３２の内方終点に連続する径大である円筒状の部分、つまり径大部３３においてキャップ２６の貫通孔３１を貫通している。径大部３３の外径は、貫通孔３１の径よりも小さく、キャップ２６を径大部３３回りに回転自在としている。
【００２４】
前述したように、押圧部３２は、内面と軸心を含む面とが交差する線（以下、このように定義される線を「母線」という）が栓２における孔形成部１６の表面の軸心に対する傾斜角と略同じ傾斜角となるように、その内径が連続的に拡大している。押圧部３２の外周には、軸心に直交する面である押圧面３４を形成する段部３５が設けられている。
インテイク２７は、径大部３３のスプレー本体２３側で連続的に内径および外径がともに減少する縮径部３６となっている。縮径部３６からスプレー本体２３側は、円筒状のシール部材支持部３７に連続する。シール部材支持部３７には、シール部材支持部３７との境で段を形成して内径が小さくなった円筒状の結合部３８が連続している。インテイク２７は、結合部３８からさらにスプレー本体２３内に伸びている。縮径部３６には、スプレー噴霧時に容器本体５内に外気を取り込むための孔（以下「外孔３９」という）が貫通している。インテイク２７は、ポリアセタールにより製作される。
【００２５】
シール部材２８は、スプレー付き容器１の内部と外部とをシールするためのものである。シール部材２８は、インテイク２７における、キャップ２６の底面部３０を貫通する一端側の内側に嵌め込まれている。シール部材２８は、いずれもその断面が円形である当接部４０、受入部４１および当接部４０と受入部４１とを繋ぐ中間部４２からなる。
当接部４０は、シール部材２８の一端側に位置し、外面および内面の母線がいずれも、軸心に対してインテイク２７における押圧部３２の傾斜角と同じ傾斜角を有して、端に向けて内径が連続的に拡大している。当接部４０の外面は、インテイク２７の押圧部３２の内面に固着されずに密着している。当接部４０の内面（以下「当接面４３」という）は、孔形成部１６に対して、図２（ａ）に示されるように、貫通するシャワー孔２２の全てがその外縁の内側に入る大きさとなっている。
【００２６】
受入部４１は、シール部材２８の他端側に位置し、他端における円筒状の固着部４４、および固着部４４から中間部４２まで伸びたシール部４５からなる。固着部４４の内径は、栓２における挿入部１７の外径よりも僅かに小さい。シール部４５は、固着部４４から遠ざかるにつれて内径が次第に大きくなっている。したがって、シール部４５の内面の母線は軸心に対して傾斜する。このシール部４５の内面の母線が軸心となす傾斜角は、０度でもよいが、０度より大きく５度以下とするのがより好ましい。シール部４５は、軸方向中央部分で、その内径が栓２における挿入部１７の外径に略等しくなっている。また、シール部４５の外面の母線も軸芯に対して内面と同じ傾斜角を有するので、シール部４５は、中間部４２側から固着部４４側に向かうにつれて、円筒状のシール部材支持部３７との間の間隙が増大する。
【００２７】
シール部４５の内面の母線が軸心となす傾斜角を０度とする場合、シール部４５に挿入部１７が嵌め入れられたとき両者の間に気体の流路が形成されないように、シール部４５の内径は、栓２における挿入部１７の外径と略同じまたは僅かに大きくするのが好ましい。また、この場合には、シール部４５とシール部材支持部３７との間に間隙が形成され、かつその間隙が軸方向に一定となるようにシール部材支持部３７の内径が決定される。
中間部４２は、一端で当接部４０に連続する円筒状の筒状部４６、および筒状部４６に連続し受入部４１に向けてシール部材２８の縮径部３６と同程度に内径が連続的に小さくなる縮径部４７からなる。縮径部４７には、外孔３９に連通して外気をシール部材２８の内部に取り込む孔（以下「内孔４８」という）が貫通している。中間部４２は、その外面がインテイク２７における径大部３３および縮径部３６の内面に、固着されずに密着している。
【００２８】
なお、筒状部４６の内方は、液体を噴霧するときに内孔４８から流入した外気をシャワー孔に流出させる連通路として機能する。
シール部材２８は、固着部４４が結合部３８に嵌め込まれて、固着部４４においてインテイク２７に固定的に一体化されている。したがって、シール部材２８は、固着部４４以外の部分では、インテイク２７に対して若干の相対移動が可能である。
シール部材２８は、弾性を有する樹脂で製作されるのが好ましい。シール部材２８は、例えばシリコン樹脂で製作される。
【００２９】
キャップ２６は、貫通孔３１を貫通する径大部３３の一端に連続する押圧部３２とスプレー本体２３のケース端４９とに挟まれて、スプレー本体２３に対して回転可能にスプレー本体２３と一体化されている。
トリガースプレー３と栓付き容器４とは、栓２の挿入部１７がシール部材２８内に挿入され、キャップ２６の雌ネジと口部１０の雄ネジとが螺合されて、スプレー付き容器１に一体化される。
スプレー付き容器１は、キャップ２６の締め付けが進行するに伴って挿入部１７がシール部材２８の受入部４１内を進み、シール部材２８の当接面４３が孔形成部１６の表面に当接して、締め付けが終了する。キャップ２６の締め付けが終了すると、挿入部１７の先端部分はテーパー状のシール部４５の内面に密着して、挿入部１７内とインテイク２７内とは連通された状態で外気から遮断される。また、スプレー付き容器１では、キャップ２６の締め付けが終了すると、孔形成部１６は、外側の６つのシャワー孔２２，…，２２が当接面４３によって塞がれ（図２（ａ）における当接面４３の範囲参照）、内側の４つのシャワー孔２２，…，２２が、インテイク２７の外孔３９およびシール部材２８の内孔４８に連通する中間部４２の内側にのみ開口する。そのため、スプレー付き容器１では、逆さにしたときにシャワー孔２２，…，２２から内容物が漏れ出るのが防止される。
【００３０】
当接面４３が孔形成部１６の表面に当接して容器本体５の内外をシール（遮断）するには、それぞれが円錐の側面状の曲面であって、その母線が軸心に直交する面に対して３〜２０度の範囲にあるのが好ましい。
なお、外孔３９の先には、トリガー２５を操作したときに外孔３９内と外部とを連通させる弁、または栓付き容器４内が陰圧になったときに開となる弁が設けられている。
キャップ２６の過度の締め付けは、底面部３０が栓２における係止部１９に当接することにより防止される。
【００３１】
このようにトリガースプレー３と栓付き容器４とが一体化されたスプレー付き容器１は、チューブ６を通しインテイク２７を介してノズルに液体を送出して噴霧することが可能となる。また、液体噴霧時に、インテイク２７の外孔３９、シール部材２８の内孔４８および口形成部のシャワー孔２２，…，２２を介して栓付き容器４内に外気を取り込むことができるので、液体の噴霧を円滑に継続することができる。
トリガースプレー３と栓付き容器４とは着脱可能に形成されており、キャップ２６を緩めてスプレー付き容器１からトリガースプレー３を取り外せば、図５に示されるように、栓付き容器４は、内容物である液体を複数のシャワー孔２２，…，２２からシャワー状に噴出させることができる。
【００３２】
口部１０の外周にＯリングを設け、Ｏリングにより挿入部１７とシール部４５とをシールしてもよい。
図６は他の実施形態におけるスプレー付き容器１Ｂの正面部分断面図、図７は栓２Ｂの概要図、図８はトリガースプレー３Ｂの正面部分断面図である。図７において（ａ）は平面図、（ｂ）は正面断面図である。
スプレー付き容器１Ｂは、容器本体５、栓２Ｂ、チューブ６およびトリガースプレー３Ｂ等からなる。
【００３３】
スプレー付き容器１Ｂにおける容器本体５およびチューブ６は、スプレー付き容器１における容器本体５およびチューブ６と同一であり、図６およひ図８においてスプレー付き容器１におけるものと同一の符合を付し、その説明を省略する。また、スプレー付き容器１Ｂにおける他の個別の構成についても、スプレー付き容器１におけるものと同一のものについてはスプレー付き容器１における符合と同一の符合を付し、その説明を省略する。
栓２Ｂは、図７を参照して、外筒部１４、内筒部１５Ｂおよび孔形成部１６からなる。
外筒部１４および孔形成部１６は、スプレー付き容器１における栓２と略同じ構成である。外筒部１４および孔形成部１６については、図６および図７においてスプレー付き容器１における栓２と同一の符合を付し、その説明を省略する。
【００３４】
内筒部１５Ｂは、外径が外筒部１４よりも小さな外筒部１４と同心円の円筒状の部分である。内筒部１５Ｂは、一端が、外筒部１４の本体１８における係止部１９に連続する側とは反対側の端から外方に突出する。内筒部１５Ｂの内面は、外筒部１４から突出する側の開口部分から内方に続くチューブ挿入部５０Ｂ、およびチューブ挿入部５０Ｂと段を形成して連続し他方の側に開口する、チューブ挿入部５０Ｂよりも内径が大きな連結管挿入部５１Ｂとなっている。チューブ挿入部５０Ｂには、チューブ６の一端が挿入されて固着されている。
【００３５】
連結管挿入部５１Ｂの内径は、後に説明する連結管５２Ｂを嵌め込み可能なように、連結管５２Ｂの外径よりも僅かに大きい。連結管挿入部５１Ｂにおける開口部分近傍には、Ｏリング５３Ｂが設けられている。
なお、孔形成部１６は、内筒部１５の連結管挿入部５１Ｂにおける開口部分近傍から、後退しながら外筒部１４に向けて拡がっている。
容器本体５、栓２Ｂおよびチューブ６の一体化は、スプレー付き容器１の場合と同様にして行われる。
【００３６】
以下、容器本体５、栓２Ｂおよびチューブ６が一体化されたものを「栓付き容器４Ｂ」という。
トリガースプレー３Ｂは、スプレー本体２３および連結部２４Ｂからなる。
スプレー本体２３は、スプレー付き容器１のトリガースプレー３におけるものと同一であり、公知の構造を有する。
連結部２４Ｂは、キャップ２６、インテイク２７の一部、シール部材２８Ｂおよび連結管５２Ｂからなる。
【００３７】
キャップ２６は、スプレー付き容器１の連結部２４におけるものと同一である。
連結部２４Ｂにおけるインテイク２７は、径大部３３、押圧部３２、縮径部３６、シール部材支持部３７および結合部３８からなる。連結部２４Ｂにおけるこれらの構成は、スプレー付き容器１の連結部２４におけるものと同一であり、その説明を省略する。
シール部材２８Ｂは、スプレー付き容器１の連結部２４におけるシール部材２８と同様に、インテイク２７におけるキャップ２６の底面部３０を貫通する一端側の内側に嵌め込まれている。シール部材２８Ｂは、当接部４０、シール部４５Ｂ、および当接部４０とシール部４５Ｂとを繋ぐ中間部４２からなる。当接部４０および中間部４２は、スプレー付き容器１のシール部材２８におけるものと同じである。
【００３８】
シール部４５Ｂは、内径および外径が一定の円筒状であり、その外面は、インテイク２７におけるシール部材支持部３７の内面に固着されずに密着している。シール部材２８Ｂは、シール部材支持部３７と固着されてなく、シール部材支持部３７（インテイク２７）に対して若干の相対移動が可能となっている。
シール部材２８Ｂは、例えばシリコン樹脂で製作される。
連結管５２Ｂは、栓２Ｂにおける連結管挿入部５１Ｂの内径よりも若干小さい外径を有する筒状体である。連結管５２Ｂは、一端がシール部材２８Ｂのシール部４５Ｂを貫通し結合部３８に嵌め込まれて、結合部３８においてインテイク２７に固着されている。連結管５２Ｂは、シール部材２８Ｂのシール部４５Ｂにより、その内部が中間部４２の内側との間でシールされている。連結管５２Ｂの他端は、当接部４０の開口部分から外方に突出している。インテイク２７に結合部３８を設けずに、連結管５２Ｂをシール部材２８Ｂのシール部４５Ｂに固着されるように構成してもよい。
【００３９】
連結管５２Ｂは、例えばポリプロピレン樹脂製のものが使用される。
トリガースプレー３Ｂと栓付き容器４Ｂとは、連結管５２Ｂの突出端側が連結管挿入部５１Ｂに挿入され、キャップ２６の雌ネジと口部１０の雄ネジとが螺合されて一体化される。
スプレー付き容器１Ｂでは、キャップ２６の締め付けに伴って連結管５２Ｂが連結管挿入部５１Ｂの奥に進入する。連結管５２Ｂは、その内部がＯリング５３Ｂにより、シール部材２８Ｂにおける中間部４２の内側との間でシールされる。スプレー付き容器１Ｂは、底面部３０によりインテイク２７の押圧面３４が押圧され、当接面４３は孔形成部１６の表面に当接する。孔形成部１６は、当接部４０の当接面４３に当接する部分に設けられたシャワー孔２２，…，２２が塞がれ、スプレー付き容器１Ｂを逆さにしたときにシャワー孔２２，…，２２から内容物が漏れ出るのを防止する。
【００４０】
スプレー付き容器１Ｂは、トリガースプレー３Ｂと栓付き容器４Ｂとが脱着可能に形成されており、トリガースプレー３Ｂが取り外された栓付き容器４Ｂは、例えば、内容物である除草剤を複数のシャワー孔２２，…，２２からシャワー状に噴出させることができる。
図９は他の実施形態におけるスプレー付き容器１Ｃの正面部分断面図、図１０は栓２Ｃの概要図、図１１はトリガースプレー３Ｃの正面部分断面図である。図１０において（ａ）は平面図、（ｂ）は正面断面図である。
【００４１】
スプレー付き容器１Ｃは、容器本体５、栓２Ｃ、チューブ６およびトリガースプレー３Ｃ等からなる。
容器本体５およびチューブ６は、スプレー付き容器１における容器本体５およびチューブ６と同一であり、図９においてスプレー付き容器１におけるものと同一の符合を付し、その説明を省略する。
栓２Ｃは、図１０を参照して、外筒部１４、内筒部１５Ｃおよび孔形成部１６Ｃからなる。
【００４２】
外筒部１４は、スプレー付き容器１における栓２の外筒部１４と略同じ構成である。外筒部１４については、図９および図１０においてスプレー付き容器１における栓２と同一の符合を付し、その説明を省略する。
内筒部１５Ｃは、外径が外筒部１４よりも小さな円筒状の部分である。内筒部１５Ｃは、外筒部１４の軸心に対してその軸心がずれている。内筒部１５Ｃは、一端が、外筒部１４の本体１８における係止部１９に連続する側とは反対側の端から外方に突出する。内筒部１５Ｃの内面は、外筒部１４から突出する側の開口部分から内方に続くチューブ挿入部５０Ｃ、およびチューブ挿入部５０Ｃと段を形成して連続し他方の側に開口する、チューブ挿入部５０Ｃよりも内径が大きな連結管挿入部５１Ｃとなっている。チューブ挿入部５０Ｃには、チューブ６の一端が挿入されて固着されている。
【００４３】
連結管挿入部５１Ｃの内径は、連結管５２Ｃを嵌め込み可能なように、連結管５２Ｃの外径よりも僅かに大きい。連結管挿入部５１Ｃにおける開口部分近傍には、Ｏリング５３Ｃが設けられている。
孔形成部１６Ｃは、チューブ挿入部５０Ｃおよび連結管挿入部５１Ｃの軸心に直交する円形の上面部５４Ｃ、および上面部５４Ｃの端縁から拡がりその母線が軸心に対して周のどの部分でも同じ角度を有して外筒部１４に達する、円錐の側面状の側面部５５Ｃからなる。孔形成部１６Ｃには、貫通する複数のシャワー孔２２Ｃ，…，２２Ｃが設けられている。シャワー孔２２Ｃは、外筒部１４の軸心の回りに内外二重に、内側に３つ、外側に６つ配置されている。
【００４４】
容器本体５、栓２Ｃおよびチューブ６の一体化は、スプレー付き容器１の場合と同様にして行われる。
以下、容器本体５、栓２Ｃおよびチューブ６が一体化されたものを「栓付き容器４Ｃ」という。
トリガースプレー３Ｃは、スプレー本体２３Ｃおよび連結部２４Ｃからなる。
スプレー本体２３Ｃは、インテイク２７Ｃが設けられた場所が異なることを除き、スプレー付き容器１のトリガースプレー３におけるものと同一であり、公知の構造を有する。
【００４５】
連結部２４Ｃは、キャップ２６、インテイク２７Ｃの一部、シール部材２８Ｃおよび連結管５２Ｃからなる。
キャップ２６および連結管５２Ｃは、スプレー付き容器１Ｂの連結部２４Ｂにおけるキャップ２６および連結管５２Ｂと略同一である。
連結部２４Ｃにおけるインテイク２７Ｃは、押圧部３２Ｃ、縮径部３６Ｃ、シール部材支持部３７Ｃおよび結合部３８Ｃからなる。連結部２４Ｃにおけるシール部材支持部３７Ｃおよび結合部３８Ｃの構成は、スプレー付き容器１の連結部２４におけるものと略同一であり、その説明を省略する。
【００４６】
押圧部３２Ｃは、インテイク２７Ｃの外方の端部であり、押圧部３２Ｃの内側の面である押圧面３４Ｃの外方端縁５６Ｃおよび内方端縁５７Ｃは、いずれも円形を形成している（図１０（ａ）参照）。押圧面３４Ｃは、インテイク２７Ｃの軸心に近くなるほどその幅が減少している。
縮径部３６Ｃは、押圧部３２Ｃの内方端からインテイク２７Ｃの軸心に対して傾斜して内方に伸び、、シール部材支持部３７Ｃに繋がる。縮径部３６Ｃには、スプレー噴霧時に容器本体５内に外気を取り込むための孔（外孔３９Ｃ）が貫通している。
【００４７】
シール部材支持部３７Ｃおよび結合部３８Ｃは、先に説明したトリガースプレー３の連結部２４におけるシール部材支持部３７および結合部３８と略同一の構成を有する。
シール部材２８Ｃは、インテイク２７Ｃの外方端部の内側に嵌め込まれている。シール部材２８Ｃは、当接部４０Ｃ、シール部４５Ｃ、および当接部４０Ｃとシール部４５Ｃとを繋ぐ中間部４２Ｃからなる。
当接部４０Ｃは、その内面である当接面４３Ｃが円錐の側面のように湾曲し、その母線が、インテイク２７Ｃの軸心に対して、孔形成部１６Ｃにおける側面部５５Ｃの表面の母線の傾斜角と同じ傾斜角を有して傾斜している。当接面４３Ｃの外方端縁５８Ｃおよび内方端縁５９Ｃは、図１０（ａ）に示されるように、いずれも円形である。当接部４０Ｃの外面には、環状の溝６０Ｃが設けられ、環状の溝６０Ｃには自己潤滑性を有する樹脂で製作された平板状のリング６１Ｃが嵌め入れられている。
【００４８】
シール部４５Ｃは、スプレー付き容器１Ｂの連結部２４Ｂにおけるシール部４５Ｂとその構成および機能が略同じである。
中間部４２Ｃは、当接部４０Ｃの内方の端からシール部４５Ｃ側に伸びる、軸心がインテイク２７Ｃの軸心に平行な円筒状の筒状部４６Ｃと、筒状部４６Ｃからインテイク２７Ｃの軸心に対して傾斜して内方に伸びシール部４５Ｃに連続する縮径部４７Ｃとからなる。縮径部４７Ｃの外面の傾斜の程度は、インテイク２７Ｃにおける縮径部３６Ｃの内面の傾斜の程度に略等しく、縮径部４７Ｃは縮径部３６Ｃに固着されずに密着している。縮径部４７Ｃには、外孔３９Ｃに連通して外気を昼間部４２Ｃの内部に取り込む孔（内孔４８Ｃ）が貫通している。
【００４９】
シール部材２８Ｃは、例えばシリコン樹脂で製作される。
連結管５２Ｃは、栓２Ｃにおける連結管挿入部５１Ｃの内径よりも若干小さい外径を有する筒状体である。連結管５２Ｃは、一端がシール部材２８Ｃのシール部４５Ｃを貫通し結合部３８Ｃに嵌め込まれて、結合部３８Ｃにおいてインテイク２７Ｃに固着されている。連結管５２Ｃは、シール部材２８Ｃのシール部４５Ｃにより、その内部が中間部４２Ｃの内側との間でシールされている。連結管５２Ｃの他端は、当接部４０Ｃの開口部分から外方に突出している。
【００５０】
トリガースプレー３Ｃと栓付き容器４Ｃとは、連結管５２Ｃの突出端側が連結管挿入部５１Ｃに挿入され、キャップ２６の雌ネジと口部１０の雄ネジとが螺合されて一体化される。
スプレー付き容器１Ｃでは、キャップ２６の締め付けに伴って連結管５２Ｃが連結管挿入部５１Ｃの奥に進入し、連結管５２Ｃの内部は、Ｏリング５３Ｃによりシール部材２８Ｃにおける中間部４２Ｃの内側との間が遮断される。スプレー付き容器１Ｃは、キャップ２６の底面部３０によりリング６１Ｃが押圧され、リング６１Ｃに押圧された当接部４０Ｃの内面（当接面４３Ｃ）は孔形成部１６Ｃに当接する。孔形成部１６Ｃは、外側に設けられたシャワー孔２２Ｃ，…，２２Ｃが塞がれ、スプレー付き容器１Ｃを逆さにしたときにシャワー孔２２Ｃ，…，２２Ｃから内容物が漏れ出るのが防止される。
【００５１】
スプレー付き容器１Ｃは、トリガースプレー３Ｃと栓付き容器４Ｃとが着脱可能に形成されており、トリガースプレー３Ｃが取り外された栓付き容器４Ｃは、内容物である液体を複数のシャワー孔２２Ｃ，…，２２Ｃからシャワー状に噴出させることができる。
図１２は他の実施形態に係るトリガースプレー３Ｄの正面部分断面図である。
トリガースプレー３Ｄは、栓付き容器４に取り付けられるものである。
トリガースプレー３Ｄは、スプレー本体２３Ｄおよび連結部２４Ｄからなる。
スプレー本体２３Ｄは、トリガースプレー３と同様に、ピストン、噴射圧を得るためにピストンの外周を摺動して往復動するシリンダ、シリンダを往復動させるためのトリガー２５、および液体である容器本体５の内容物を霧状に噴射するためのノズルを有する。スプレー本体２３における液体を噴射するための構造は、公知のものである。なお、図１２における符合６２Ｄは、プランジャーである。
【００５２】
連結部２４Ｄは、キャップ２６、インテイク２７Ｄの一部、傘状部６３Ｄおよび第２シール部６４Ｄからなる。
キャップ２６は、トリガースプレー３におけるものと略同一である。
連結部２４Ｄを構成するインテイク２７Ｄは、スプレー本体２３Ｄ内に収容され一部がスプレー本体２３Ｄから突出してキャップ２６の貫通孔３１を貫通する径大部３３Ｄ、スプレー本体２３Ｄの内方側で径大部３３Ｄに連続するシール部６５Ｄを有する。径大部３３Ｄは、栓２における挿入部１７の外径よりも大きな内径を有する円筒状の部分である。径大部３３Ｄの側面には、スプレー噴霧時に容器本体５内に外気を取り込むための孔（以下「通気孔６６Ｄ」という）が貫通している。径大部３３Ｄの内側には、その内面に密着させて略円筒状のゴム製のパッキン６７Ｄが備えられている。
【００５３】
シール部６５Ｄは、栓２における挿入部１７の外径に略等しい内径を有する。シール部６５Ｄにおける径大部３３Ｄに連続する側の反対側は、ノズルに連通している。
傘状部６３Ｄは、キャップ２６の内側において径大部３３Ｄに連続し、径大部３３Ｄの軸心に対してその内面の母線が鋭角をなして外方に拡がっている。傘状部６３Ｄの内面の母線が軸心となす角度は、栓２における孔形成部１６の係止部１９側表面の母線が挿入部１７の軸心となす角度に略等しい。傘状部６３Ｄは、拡がった先で第２シール部６４Ｄに連続する。
【００５４】
第２シール部６４Ｄは、傘状部６３Ｄの外方端からキャップ２６の底面部３０側に続く、円筒状の折り返し部６８Ｄと、折り返し部６８Ｄに続く封止部６９Ｄとからなる。
折り返し部６８Ｄは、その外径が栓２における本体１８の内径よりも小さく、その外周を１周する、外方に突出する凸部７０Ｄが設けられている。凸部７０Ｄの最大外径は、栓２における本体１８の内径に略等しい。折り返し部６８Ｄは、キャップ２６の底面部３０近くで封止部６９Ｄに連続する。
封止部６９Ｄは、折り返し部６８Ｄから直角に外方に拡がる環状の部分である。封止部６９Ｄは、底面部３０側の逆側の面に、径大部３３Ｄの軸心を中心とする同心円で環状に突出する２つのシールリング部７１Ｄ，７２Ｄを有する。また、封止部６９Ｄは、キャップ２６の底面部３０に対向する側が平面となっている。
【００５５】
トリガースプレー３Ｄは、トリガースプレー３と同様に、キャップ２６が栓付き容器４の口部１０に螺合されて栓付き容器４に取り付けられる。スプレー付き容器３Ｄでは、挿入部１７がシール部６５Ｄに嵌り込んで、チューブ６からの流路と外気とが遮断される。また、底面部３０に封止部６９Ｄが押圧されることにより、第２シール部６４Ｄのシールリング部７１Ｄ，７２Ｄは栓２の係止部１９に当接し、凸部７０Ｄは本体１８の内面に当接して、これらが栓付き容器４の内部と外気とを遮断する。シールリング部７１Ｄ，７２Ｄおよび凸部７０Ｄのいずれか一方のみを備えるトリガースプレー３Ｄとしてもよい。
【００５６】
連結部２４Ｄは、シールリング部７１Ｄ，７２Ｄが栓２の係止部１９に当接した状態で、傘状部６３Ｄと孔形成部１６とに間隙を有するように構成される。この間隙が設けられていることにより、内容物が噴霧されるときに、外気は、プランジャー６２Ｄによりパッキン６７Ｄが歪められて、通気孔６６Ｄと径大部３３Ｄの内側とが連通されたときに、この間隙を経由して栓付き容器４内に流入することができる。そのため、噴霧時に栓付き容器４内が負圧にならず、内容物を円滑に噴霧することができる。
図１３は他の実施形態に係るトリガースプレー３Ｅの正面部分断面図である。
【００５７】
トリガースプレー３Ｅは、栓付き容器４Ｂに取り付けられるものである。
トリガースプレー３Ｅは、スプレー本体２３Ｄおよび連結部２４Ｅからなる。スプレー本体２３Ｄは、トリガースプレー３Ｄにおけるものと略同一である。
連結部２４Ｅは、トリガースプレー３Ｄにおける連結部２４Ｄのシール部６５Ｄに円筒状の連結管５２Ｅが固着されていることを除き、トリガースプレー３Ｄにおけるものと略同一である。
トリガースプレー３Ｅを示す図１３において、トリガースプレー３Ｄと同一の構成を有するものについてはトリガースプレー３Ｄ（図１２）と同一の符合を付して、説明を省略する。
【００５８】
図１４は他の実施形態に係るトリガースプレー３Ｆの正面部分断面図である。
トリガースプレー３Ｆは、栓付き容器４に取り付けられるものである。
トリガースプレー３Ｆにおいて、トリガースプレー３Ｄと同一の構成を有する部分については、以下の説明および図１４においてトリガースプレー３Ｄと同一の符合を付し、説明を省略することがある。
トリガースプレー３Ｆは、スプレー本体２３Ｄおよび連結部２４Ｆからなる。
スプレー本体２３Ｄは、トリガースプレー３Ｄにおけるものと略同一である。
【００５９】
連結部２４Ｆは、キャップ２６、インテイク２７Ｆの一部および第２シール部６４Ｆからなる。
キャップ２６は、トリガースプレー３におけるものと略同一である。
連結部２４Ｄを構成するインテイク２７Ｄは、スプレー本体２３Ｄ内に収容され一部がスプレー本体２３Ｄから突出してキャップ２６の貫通孔３１を貫通する径大部３３Ｄ、およびスプレー本体２３Ｄの内方側で径大部３３Ｄに連続するシール部６５Ｄを有する。径大部３３Ｄおよびシール部６５Ｄは、トリガースプレー３Ｄにおけるものと略同一の構成である。径大部３３Ｄの内面に密着させて略円筒状のゴム製のパッキン６７Ｅが備えられている点も、トリガースプレー３Ｄと同じある。
【００６０】
第２シール部６４Ｆは、径大部３３Ｄのキャップ２６内における端から軸心に直交する方向に拡がり端縁が円形の被押圧部７３Ｆ、および被押圧部７３Ｆの端縁において底面部３０とは逆側に環状に突出するシールリング部７１Ｆからなる。
被押圧部７２Ｆは、キャップ２６の底面部３０に対向する側が平面となっている。
シールリング部７１Ｆの突出端は、曲面または幅の小さな環状の平面となっており、外周面の曲率半径は、栓２の本体の内面の曲率半径より僅かに小さい。
トリガースプレー３Ｆは、キャップ２６が栓付き容器４の口部１０に螺合されて栓付き容器４に取り付けられる。スプレー付き容器３Ｄでは、底面部３０に被押圧部７３Ｆが押圧されることにより、シールリング部７１Ｆが栓２の孔形成部１８の表面に当接し、栓付き容器４の内部と外気とが遮断される。シールリング部７１Ｆの外周に、トリガースプレー３Ｄの折り返し部６８Ｄにおける凸部７０Ｄと同様の凸部を設けて、孔形成部１８の内面とをシールしてもよい。
【００６１】
トリガースプレー３Ｆは、トリガースプレー３Ｄと同様に、噴霧時に、キャップ２６からの液漏れを防止しながら栓付き容器４内に外気を流入させることができ、栓付き容器４内が負圧にならず、内容物を円滑に継続して噴霧することができる。
図１５は他の実施形態に係るトリガースプレー３Ｇの正面部分断面図である。
トリガースプレー３Ｇは、栓付き容器４Ｃに取り付けられるものである。
トリガースプレー３Ｇにおいて、トリガースプレー３Ｃと同一の構成を有する部分については、以下の説明および図１５においてトリガースプレー３Ｃと同一の符合を付し、説明を省略する。
【００６２】
トリガースプレー３Ｇは、スプレー本体２３Ｇおよび連結部２４Ｇからなる。
スプレー本体２３Ｇは、トリガースプレー３Ｃにおけるものと略同一である。
連結部２４Ｇは、キャップ２６、インテイク２７Ｇの一部、シール部７４Ｇおよび連結管５２Ｇからなる。
キャップ２６は、底面部３０に設けられた貫通孔３１Ｇの近傍の内面に、内方に突出する環状の押圧部７８Ｇを有する。キャップ２６における他の構成は、トリガースプレー３Ｃにおけるものと略同一である。
【００６３】
インテイク２７Ｇは、スプレー本体２３Ｇ内に収容され一部がスプレー本体２３Ｇから突出してキャップ２６の貫通孔３１Ｇを貫通する径大部３３Ｇ、およびキャップ２６の内方に位置する径大部３３Ｇの端から軸心に対して直角に拡がるシール部７４Ｇを有する。
径大部３３Ｇには、連結管５２Ｇがノズルに連通させて固着されている。また、径大部３３Ｇには、スプレー噴霧時に容器本体５内に外気を取り込むための孔（通気孔６６Ｄ）が、キャップ２６の内方における端面７５Ｇに開口している。
シール部７４Ｇは、その拡がる先の端縁が、栓２Ｃにおける係止部１９の外方端縁が形成する円と略同一の円を形成している。シール部７４Ｇの端面７５Ｇには、栓２Ｃにおける本体１８の内径より僅かに小さな外径を有する円筒状の案内部７６Ｇが外方に突出している。端面７５Ｇにおける案内部７６Ｇよりも外方端縁側には、円環状のパッキン７７Ｇが固着されている。パッキン７７Ｇを固着する代わりに、端面７５Ｇの該当する部分を肉厚にしても同様に
トリガースプレー３Ｇは、キャップ２６が栓付き容器４Ｃの口部１０に螺合されて栓付き容器４Ｃに取り付けられる。スプレー付き容器３Ｇは、キャップ２６の押圧部７８Ｇに押圧されたシール部７４Ｇがパッキン７７Ｇを強く栓２Ｃの係止部１９に押圧することにより、栓付き容器４Ｃの内部と外気とが遮断され、かつ外部への液漏れが防止される。
【００６４】
押圧部７８Ｇを設けずに、底面部３０によりシール部７４Ｇを押圧するようにしても同様の効果を得ることができる。また、端面７５Ｇにパッキン７７Ｇを固着する代わりに、端面７５Ｇの該当する部分を肉厚にしても同様の効果を得ることができる。
トリガースプレー３，３Ｂ〜３Ｇにおいて、栓付き容器４，４Ｂ，４Ｃに取り付けられたときに、当接面４３もしくは第２シール部６４Ｆが孔形成部１６の表面に当接して栓付き容器４，４Ｂ，４Ｃの内外をシール（遮断）することができれば、または第２シール部６４Ｄもしくはシール部７４Ｇに固着されたパッキン７７Ｇ等が係止部に当接して栓付き容器４，４Ｂ，４Ｃの内外をシール（遮断）することができれば、上述した以外の形態を採用することができる。例えば、当接面４３が孔形成部１６の表面をいずれも軸心に直交する面で構成し、またはいずれもその母線が０度または２０度を超えるものとすることができる。
【００６５】
スプレー付き容器１Ｂ，１Ｃ（トリガースプレー３Ｅ，３Ｇが取り付けられた栓付き容器４Ｂ，４Ｃも含む）において、連結管挿入部５１Ｂ，５１ＣにＯリング５３Ｂ，５３Ｃを設けるのではなく、連結管５２Ｂ，５２Ｃにおける連結管挿入部５１Ｂ，５１Ｃに嵌め込まれる部分にＯリング５３Ｂ，５３Ｃを設けてもよい。
上述の実施形態において、栓付き容器４，４Ｂ，４Ｃ内に充填されトリガースプレー３，３Ｂ，３Ｃにより噴射される液体には、殺虫剤、殺虫殺菌剤および肥料等の有効成分等が溶解した溶液、有効成分等が乳化された乳化物、および有効成分が固体状態で分散するサスペンションが含まれる。
【００６６】
スプレー付き容器１，１Ｂ，１Ｃ（トリガースプレー３Ｅ，３Ｇが取り付けられた栓付き容器４Ｂ，４Ｃも含む）が有するそれぞれの構成は、スプレー付き容器１，１Ｂ，１Ｃのあいだで相互に転用可能なものについては任意に他のスプレー付き容器１，１Ｂ，１Ｃ等に適用することができる。
その他、スプレー付き容器１，１Ｂ，１Ｃ等、およびスプレー付き容器１，１Ｂ，１Ｃ等の各構成または全体の構造、形状、寸法、個数、材質などは、本発明の趣旨に沿って適宜変更することができる。
【産業上の利用可能性】
【００６７】
本発明は、例えば除草剤、殺虫剤、殺虫殺菌剤および肥料等等の農薬等、または住居用の洗浄剤等を充填するための容器、トリガースプレーおよびスプレー付き容器に利用することができる。
【図面の簡単な説明】
【００６８】
【図１】図１はスプレー付き容器の正面部分断面図である。
【図２】図２は栓の概略図である。
【図３】図３はトリガースプレーの正面部分断面図である。
【図４】図４は図１におけるトリガースプレーと栓付き容器との接続部分の拡大断面図である。
【図５】図５は栓付き容器から内容物がシャワー状に流出する様子を示す図である。
【図６】図６は他の実施形態におけるスプレー付き容器の正面部分断面図である。
【図７】図７は栓の概要図である。
【図８】図８はトリガースプレーの正面部分断面図である。
【図９】図９は他の実施形態におけるスプレー付き容器正面部分断面図である。
【図１０】図１０は栓の概要図である。
【図１１】図１１はトリガースプレーの正面部分断面図である。
【図１２】図１２は他の実施形態に係るトリガースプレーの正面部分断面図である。
【図１３】図１３は他の実施形態に係るトリガースプレーの正面部分断面図である。
【図１４】図１４は他の実施形態に係るトリガースプレーの正面部分断面図である。
【図１５】図１５は他の実施形態に係るトリガースプレーの正面部分断面図である。
【符号の説明】
【００６９】
１，１Ｂ，１Ｃ  スプレー付き容器（容器）
２，２Ｂ，２Ｃ  栓
３，３Ｂ〜３Ｇ  トリガースプレー
４，４Ｂ，４Ｃ  容器（栓付き容器）
６  チューブ
８  容器の底（底部）
１７  第１の接続部（挿入部）
１７  挿入部
２２，２２Ｃ  シャワー孔
２４，２４Ｂ〜２４Ｇ  第２の接続部（連結部）
２４，２４Ｂ〜２４Ｇ  連結部
４０，４０Ｃ  シール部（当接部）
５１Ｂ，５１Ｃ  第１の接続部（連結管挿入部）
５１Ｂ，５１Ｃ  連結管挿入部
５２Ｂ，５２Ｃ  連結管
６９Ｄ  環状のシール部（封止部）
７１Ｆ  環状のシール部（シールリング部）
７４Ｇ  環状のシール部
７７Ｇ  環状のシール部（パッキン）
【図１】
0004850169.tif 000002
【図３】
0004850169.tif 000003
【図４】
0004850169.tif 000004
【図５】
0004850169.tif 000005
【図６】
0004850169.tif 000006
【図８】
0004850169.tif 000007
【図９】
0004850169.tif 000008
【図１１】
0004850169.tif 000009
【図２】
0004850169.tif 000010
【図７】
0004850169.tif 000011
【図１０】
0004850169.tif 000012
【図１２】
0004850169.tif 000013
【図１３】
0004850169.tif 000014
【図１４】
0004850169.tif 000015
【図１５】
0004850169.tif 000016